(57)【要約】【課題】  血液中の白血球を除去した後に白血球除去フィルター内に残留した血液を効率的に回収する方法を提供すること。【解決手段】  生理的溶液を用いて、白血球除去フィルター材を充填してなる体外循環用白血球除去フィルターに残留する血液を回収する方法であって、白血球除去フィルターの重力方向下側から生理的溶液を流し入れ、白血球除去フィルターの重力方向上側から血液を回収する、上記の方法。【選択図】    なし【特許請求の範囲】
【請求項１】
生理的溶液を用いて、白血球除去フィルター材を充填してなる体外循環用白血球除去フィルターに残留する血液を回収する方法であって、白血球除去フィルターの重力方向下側から生理的溶液を流し入れ、白血球除去フィルターの重力方向上側から血液を回収する、上記の方法。
【請求項２】
生理的溶液を１０ｍｌ／分以上１００ｍｌ／分以下の流量で流し入れる、請求項１記載の体外循環用白血球除去フィルターに残留する血液を回収する方法。
【請求項３】
体外循環用白血球除去フィルターが、筒状容器に筒状白血球除去フィルター材を充填し、血液が筒状白血球除去フィルター材の一側面から他の側面に流れるように構成された筒状体外循環用白血球除去フィルターである、請求項１または２記載の体外循環用白血球除去フィルターに残留する血液を回収する方法。
【請求項４】
血液が筒状体外循環用白血球除去フィルター材の外側面から内側面に向かって流れるように生理的溶液を流す、請求項３記載の体外循環用白血球除去フィルターに残留する血液を回収する方法。
【請求項５】
体外循環用白血球除去フィルターのプライミングボリュームが５０ｍｌ以上５００ｍｌ以下である、請求項１乃至４の何れかに記載の体外循環用白血球除去フィルターに残留する血液を回収する方法。
【請求項６】
体外循環用白血球除去フィルター材が不織布よりなる、請求項１乃至５の何れかに記載の体外循環用白血球除去フィルターに残留する血液を回収する方法。
【請求項７】
血液を体外循環用白血球除去フィルターの上側から流し入れ、体外循環用白血球除去フィルターの下側から血液を回収した後、体外循環用白血球除去フィルターの上下を反転し、体外循環用白血球除去フィルターの下側から生理的溶液を流し入れ、体外循環用白血球除去フィルターの上側から血液を回収する、請求項１乃至６の何れかに記載の体外循環用白血球除去フィルターに残留する血液を回収する方法。
【請求項８】
血液を体外循環用白血球除去フィルターの下側から流し入れ、体外循環用白血球除去フィルターの上側から血液を回収した後、体外循環用白血球除去フィルターの下側から生理的溶液を流し入れ、体外循環用白血球除去フィルターの上側から血液を回収する、請求項１乃至６の何れかに記載の体外循環用白血球除去フィルターに残留する血液を回収する方法。
【請求項９】
血液中に抗凝固剤が添加されている、請求項１乃至８の何れかに記載の体外循環用白血球除去フィルターに残留する血液を回収する方法。
【発明の詳細な説明】
【技術分野】
【０００１】
本発明は、体外循環用白血球除去フィルターに残留する白血球除去された血液を回収する方法に関する。より詳細には、本発明は、体外循環用白血球除去フィルターに残留する白血球除去された血液をできるだけ多量に効率的に回収する方法に関する。
【背景技術】
【０００２】
近年、全身性エリトマトーデス、悪性関節リウマチ、多発性硬化症、潰瘍性大腸炎、クローン病等の自己免疫性疾患、白血病、癌などの治療、又は移植前の免疫抑制を目的として、患者の血液を体外循環により白血球除去フィルターに通して白血球を選択的に除去する技術が進歩してきた。具体的には、不織布、織布、多孔質体、粒子および平膜等をフィルター材として用いた白血球除去フィルターが開発されており、これらの白血球除去フィルターにおいては白血球に対する高い除去能力が要求されている。
【０００３】
このような白血球除去フィルターを用いて体外循環を実施する際には、先ず、生理的溶液を流して対外循環回路および白血球除去フィルターをプライミングする。次に、患者体内から回路内に血液を導入し、白血球除去フィルターにより白血球を除去した血液を導出して患者体内に戻す体外循環を一定時間実施する。治療終了後、体外循環回路の血液導入側から生理的溶液などを流すことにより回路内部を順次液置換しつつ、体外循環回路と白血球除去フィルターに残留している血液を回収して直ちに患者に戻す、あるいは一旦保存して別途使用することもある。
【０００４】
体外循環を行なう際には、通常、血液は白血球除去フィルターの上側から下側に向かって流される。その理由は、血液を下側から上側に向かって流すと、比重が大きい赤血球が白血球除去フィルター内で次第に濃縮され、血液が流れ難くなってしまうので、それを防ぐためである。そして、血液を生理的溶液により回収するときも、前記の状態を維持しつつ生理的溶液を白血球除去フィルターの上側から下側に向けて流すことが常であった。しかしながら、白血球除去フィルターの上側から下側に向かって血液を流していても、フィルター材の流れ抵抗により赤血球が多少なりとも濃縮され、また、フィルター材には徐々に白血球や血小板が蓄積され、さらに、一部にはフィブリンが析出し、上記回収方法をもってしても血液の回収は効率的に行なえなかった。特に、血液粘性を高める因子を多く含むリウマチ患者の血液ではこの様な現象が起こり易く、改善が求められている。
【０００５】
フィルター材から効率よく血液等を回収する方法については幾つか知られており、例えば特許文献１には、血液を収容する上部バッグ、白血球除去フィルター、白血球除去後の血液を収容する下部バッグをこの順に繋ぎ、上部バッグと白血球除去フィルターの間に空気を送り込み、白血球除去フィルターの上流側に残存する血液を回収する方法が開示されている。しかし、この回収方法は、輸血用の血液から白血球を除去するための、小型の白血球除去フィルターの血液回収方法であり、体外循環に用いられる大型の白血球除去フィルターの血液回収方法ではない。従って、フィルター材の上流側に残存する血液は回収できるものの、フィルター材内部に残留する血液は回収できない。体外循環用白血球除去フィルターは、その中に充填されるフィルター材に残留する血液の容積が大きいので、生理的溶液を用いてフィルター材の中に残留する血液をも無駄なく回収してやる必要があり、その点において満足できる技術ではなかった。
【０００６】
特許文献２には、少なくとも有核細胞と赤血球を含む有核細胞含有液を、有核細胞を実質的に捕捉し赤血球は実質的に通過する細胞捕捉手段に導入し、赤血球を該細胞捕捉手段から導出させ、次に該細胞捕捉手段に回収液を導入して該細胞捕捉手段に捕捉されている有核細胞を回収する有核細胞分離回収方法について開示されている。しかし、この方法は捕捉した有核細胞を回収する方法であって、主としてフィルター内に残留する白血球除去された赤血球を含有する血液を回収する方法ではない。
【０００７】
特許文献３には、体液中に含まれる細胞成分を繊維質フィルター材によって分離するための装置であって、体液の導入口と取出口を有し、前記導入口が取出口よりも低い位置に設けられると共に、取出口が装置全体の高さの半分以上の位置に設けられて構成され、且つ前記繊維質フィルター材が繊維径１０μｍ未満の繊維からなるものであることを特徴とする体液細胞成分の分離装置が開示されている。しかしながら、特許文献３には白血球除去フィルターに残留する白血球を除去された血液の回収方法については一切記載も示唆もない。
【０００８】
以上述べたように、治療終了後の体外循環用の白血球除去フィルターから血液を効率よく回収する技術については特に知られておらず、また、関連技術から示唆されるものでもなかった。
【０００９】
【特許文献１】特開平７−２９９１２０号公報
【特許文献２】特開平１１−３２２６１８号公報
【特許文献３】特許第２８７６６４３号公報
【発明の開示】
【発明が解決しようとする課題】
【００１０】
本発明は、上記した従来技術の問題を解決することを解決すべき課題とした。即ち、本発明は、白血球除去フィルターに残留する白血球除去された血液を効率的に回収する方法を提供することを解決すべき課題とした。
【課題を解決するための手段】
【００１１】
本発明者らは、上記課題を解決するため鋭意検討を重ねた結果、白血球除去フィルターで血液の白血球除去処理を行った後、血液を回収するために白血球除去フィルターのフロー方向は変えずに白血球除去フィルターの下側から生理的溶液を流し入れ、白血球除去フィルターの上側から血液を回収することにより、効率的に血液を回収できることを見出し、本発明を完成するに至った。
【００１２】
すなわち、本発明によれば、生理的溶液を用いて、白血球除去フィルター材を充填してなる体外循環用白血球除去フィルターに残留する血液を回収する方法であって、白血球除去フィルターの重力方向下側から生理的溶液を流し入れ、白血球除去フィルターの重力方向上側から血液を回収する、上記の方法が提供される。
【００１３】
好ましくは、生理的溶液を１０ｍｌ／分以上１００ｍｌ／分以下の流量で流し入れる。
好ましくは、体外循環用白血球除去フィルターは、筒状容器に筒状白血球除去フィルター材を充填し、血液が筒状白血球除去フィルター材の一側面から他の側面に流れるように構成された筒状体外循環用白血球除去フィルターである。
好ましくは、血液が筒状体外循環用白血球除去フィルター材の外側面から内側面に向かって流れるように生理的溶液を流す。
【００１４】
好ましくは、体外循環用白血球除去フィルターのプライミングボリュームは５０ｍｌ以上５００ｍｌ以下である。
好ましくは、体外循環用白血球除去フィルター材は不織布よりなる。
【００１５】
好ましくは、血液を体外循環用白血球除去フィルターの上側から流し入れ、体外循環用白血球除去フィルターの下側から血液を回収した後、体外循環用白血球除去フィルターの上下を反転し、体外循環用白血球除去フィルターの下側から生理的溶液を流し入れ、体外循環用白血球除去フィルターの上側から血液を回収する。
好ましくは、血液を体外循環用白血球除去フィルターの下側から流し入れ、体外循環用白血球除去フィルターの上側から血液を回収した後、体外循環用白血球除去フィルターの下側から生理的溶液を流し入れ、体外循環用白血球除去フィルターの上側から血液を回収する。
好ましくは、血液中に抗凝固剤が添加されている。
【発明の効果】
【００１６】
本発明の体外循環用白血球除去フィルターから血液を回収する方法を用いることにより、体外循環白血球除去操作を行なった後に白血球除去フィルターに残存する血液を、効率的に、高収率で回収できるようになった。そのため、フィルターを含む体外循環回路に残留する血液を少しでも多く患者に戻すことが可能であり、あるいは残留血液を検査や製剤として有効活用することも可能となり、患者から無駄に失われる血液の量が少なくなる。
【発明を実施するための最良の形態】
【００１７】
以下、本発明について具体的に説明する。
本発明の体外循環用白血球除去フィルターとは、血液の導入口と白血球を除去した血液の導出口を備えた容器に、白血球に親和性のある白血球除去フィルター材を充填したもので、血液の体外循環療法に用いられるものをいう。白血球除去フィルター材は、白血球を除去できるものであれば特に限定はなく各種のものを用いることができ、不織布、織布、多孔質体、粒子、平膜等を例示できる。白血球除去の観点より好ましい形状は、不織布、織布、多孔質体が挙げられ、最も好ましくは不織布が良好に用いられる。
【００１８】
白血球除去フィルター材の形状が不織布の場合、フィラメントは、モノフィラメントでもマルチフィラメントでも構わないし、多孔質フィラメントでも異型フィラメントでも構わない。
【００１９】
また、不織布の場合、平均繊維直径が ０．８μｍ以上５０μｍ未満の不織布が好ましい。繊維径が大きくなると基材の表面積確保が困難となり、白血球の吸着面積が減少し、白血球の除去性能が低下するため好ましくない。一方、繊維径が小さくなると白血球除去フィルター材の目詰まりが発生しやすく、かつ血小板の回収が困難になるため好ましくない。以上の観点より、更に好ましい平均繊維直径は１．０μｍ以上４０μｍ未満、最も好ましくは、１．５μｍ以上３５μｍ未満である。
【００２０】
更に、不織布の場合、白血球の除去効率を上げる上でその嵩密度が０．１０ｇ／ｃｍ3以上０．４５ｇ／ｃｍ3未満であることも重要である。嵩密度が０．１０ｇ／ｃｍ3未満の場合白血球の除去性能が低下するため好ましくない。一方、嵩密度が０．４５ｇ／ｃｍ3以上の場合、目詰まりしやすくなるため好ましくない。更に、上記の観点より好ましくは０．１２ｇ／ｃｍ3以上０．４５ｇ／ｃｍ3未満、最も好ましくは０．１３ｇ／ｃｍ3以上０．４０ｇ／ｃｍ3未満である。
【００２１】
本発明の白血球除去フィルター材の材質としては、血球にダメージを与えにくいものであれば特に限定はなく各種のものを用いることができ、有機高分子、無機高分子、金属等を例示できる。その中でも、有機高分子は切断などの加工性に優れるため好ましい素材である。有機高分子の材質は、セルロース及び／またはその誘導体等の天然高分子、ポリエチレンテレフタレート、ポリブチレンテレフタレート等のポリエステル、ポリエチレン、ポリプロピレン等のポリオレフィン、ポリフッ化ビニリデン、ポリアミド、ポリイミド、ポリウレタン、ポリスルホン、ポリアクリロニトリル等の高分子材料を例示できる。
【００２２】
白血球除去フィルター材の材料が表面修飾なしで白血球に対して親和性を有する場合は、そのまま用いることも可能である。しかし、表面修飾なしでそれら機能を発揮できない場合は、機能発揮を目的としてコーティング等の表面改質をして用いることが好ましく、例えば、親水性を付与する目的で表面を高分子材料で修飾した材料も有用に用いられる。
【００２３】
また、本発明の白血球除去フィルターは白血球のみならず、血小板を同時に除去する場合にも有用に用いられる。
【００２４】
白血球除去フィルター材の好ましい態様を例示すると、ポリエチレンテレフタレート、ポリブチレンテレフタレート等のポリエステル不織布、セルロース、セルロースモノアセテート、セルロースジアセテート、セルローストリアセテート等のセルロース系ビーズあるいはこれらの表面をコーティング、放射線グラフト等の方法で表面修飾した材料が挙げられるが、これに限定されるものではない。
【００２５】
このような白血球除去フィルター材が充填された白血球除去フィルターにおいて、内部に充填できる液体の最大容積のことをプライミングボリュームと言う。本発明では、５０ｍｌ〜５００ｍｌのプライミングボリュームが好ましく、より好ましくは７０ｍｌ〜４００ｍｌ、最も好ましくは９０ｍｌ〜３００ｍｌである。５０ｍｌより小さいと白血球除去能力が少なくなり、また５００ｍｌより大きいと患者の体外に出て行く血液量が大きくなり過ぎるので好ましくない。
【００２６】
本発明において、血液とは、全血、または顆粒球含有液、リンパ球含有液、単球含有液又はこれら全てを含む白血球含有液、あるいは白血球、血小板含有液などの、少なくとも赤血球、血漿、白血球を含む血液成分を言う。これら血液を処理するときは、血液の抗凝固目的で抗凝固剤を血液中に加えることができる。抗凝固剤を例示すると、抗凝固活性を有する化合物であれば、特に限定されないが、ヘパリン、メシル酸ナファモスタット、メシル酸ガベキサート、アルガトロバン、クエン酸塩が好適例として挙げられ、好ましくはヘパリン或いはメシル酸ナファモスタットが良好に用いられる。
【００２７】
本発明において、回収とは、白血球除去フィルターおよびフィルター材の内部に残留する白血球を除去された血液を、生理的溶液を用いて前記フィルターから体外循環回路を経て回収する操作を言う。回収された残留血液は、体外循環回路の導出部から直ちに患者の体内に戻されることもあるが、治療毎に逐一保存する或いは一連の治療分をプールして保存し、検査用途の他に全血製剤や赤血球製剤を作成して別途有効活用することもできる。回収した血液のこのような用途から、除去対象である白血球を主に除去する一方で、赤血球はもちろんのこと血小板も回収することが好ましい。
【００２８】
前記回収にあたり、生理的溶液を流す方向は血液を流す方向に関わらず設定可能であるが、その際、白血球除去フィルターの重力方向の下側から上側へ生理的溶液を流し、上側から血液を流出させて回収することが必要である。つまり、体外循環治療中の血液の流れ方向は、白血球除去フィルターの重力方向下側から上側あるいは上側から下側への何れでも良いが、血液を回収する際には、生理的溶液を重力方向の下側から上側に流すことが必要であり、そのように流すことにより、驚くべきほど効率的に血液を回収することが可能になる。反対に、重力方向の上側から下側へ生理的溶液を流して回収すると、血液が白血球除去フィルター内に残留しやすく、回収操作に多大な時間を要する、あるいは膨大な量の生理的溶液を要すことになり、残留血液を効率的に回収できない。
【００２９】
上記の理由は定かではないが、従来技術のように白血球除去フィルターの上側から下側に向かって生理的溶液を流すと、血液に比べて粘度が格段に低い生理的溶液が白血球除去フィルター内に流入してきたときに生理的溶液が流れやすい部分がすぐにできてしまい、白血球除去フィルター材をショートパスする流路ができてしまうため、赤血球が濃縮され滞留した部分が容易に液置換せず、その部分の血液がなかなか回収されないのに対し、本発明のように白血球除去フィルターの下側から上側に向かって生理的溶液を流すと、生理的溶液の入ってくる部分に向かって常に比重の重い赤血球が沈降してくるので粘度の低い生理的溶液のショートパスができ難く、赤血球が濃縮され滞留した部分が液置換されやすく、その部分の血液が常に薄まる方向に移動するので血液の回収効率が格段に高くなるものと考えられる。
【００３０】
より具体的には、体外循環回路の装置配置等の理由から、白血球除去フィルター内の血液の流れと同じ方向に生理的溶液を流し、白血球除去フィルターの重力方向の下側から上側へ生理的溶液を流してフィルター内部の血液を回収する方法、すなわち、血液も回収液も下側から上側に流す方法が好ましい。
【００３１】
さらに、体外循環治療時は、体外循環用白血球除去フィルターの重力方向上側から血液を導入して下側から血液を導出し、続く回収時には、体外循環用白血球除去フィルターを上下反転して、体外循環用白血球除去フィルターの重力方向下側より生理的溶液を流し入れ、体外循環用白血球除去フィルターの上側より血液を回収すると特に好ましい。その理由は、体外循環治療時に白血球除去フィルターの下部に滞留し、回収液の通過抵抗となり得る濃厚な血液が、回収時にフィルターを上下反転することによりフィルター上部に位置しその後徐々に沈降するので、回収液の通過抵抗が生じ難く回収が効率よくできるからである。
【００３２】
なお、血液の導入口および導出口を有する白血球除去フィルターは、通常、血液の導入口および導出口がそれぞれ垂直方向に位置するようにセッティングして使用するが、血液の回収時には導入口および導出口に高低差が生じていればよく、略垂直もしくは明らかに傾斜していても回収可能である。滞留した血液の液置換効率、および、通常は血液の導入口および導出口が容器（断）面の中央付近に配置されることを考慮すると、垂直または略垂直で回収することが好ましい。
【００３３】
本発明で用いる生理的溶液とは、血液及び生体に対して悪影響を与えない溶液をいう。例示すると生理食塩液、リンゲル液、乳酸リンゲル液、酢酸リンゲル液、タイロード液等の生理的塩類溶液、ブドウ糖、デキストラン等の糖含有液、クエン酸塩、ヘパリン、メシル酸ナファモスタット、メシル酸ガベキサート等の蛋白分解酵素阻害剤、等の抗凝固剤含有液等が挙げられる。これらの中でも、生理食塩液、乳酸リンゲル液、糖含有液、抗凝固剤含有液が好ましく用いられる。更に、デキストラン等の多糖含有液、抗凝固剤含有液が最も好ましく用いられる。
【００３４】
前記生理的溶液を流し入れるための送液手段としては、落差を利用して流すこともできるが、一般的には送液ポンプを用いることが多い。生理的溶液を白血球除去フィルターに流しいれる流量は１０ｍｌ／ｍｉｎ〜１００ｍｌ／ｍｉｎの流速範囲が好ましく、より好ましくは１５ｍｌ／ｍｉｎ〜８０ｍｌ／ｍｉｎ、最も好ましくは２０ｍｌ／ｍｉｎ〜５０ｍｌ／ｍｉｎである。流量が１０ｍｌ／ｍｉｎより小さいと血液の回収に時間がかかり過ぎ、また１００ｍｌ／ｍｉｎより大きいと生理的溶液のショートパスができ易くなり、好ましくない。
【００３５】
本発明の血液を回収する方法は、白血球除去フィルターの形状が筒状の場合により好ましく実施できる。本発明でいう筒状白血球除去フィルターとは、全体形状として中心部分が空洞である柱状形、すなわち、中空円柱、中空多角柱、中空星状柱等の筒状容器内に同じく筒状のフィルター材を充填し、両端部をポッティング加工した後、血液の入口または出口を有するヘッダーキャップを取り付けたものである。内部に充填する筒状白血球除去フィルター材は、例えば、中心が空洞の穴開き支持体に幾層にも不織布を巻いたものが例示できる。支持体としては、例えば、メッシュを円柱状に丸めたもの等が例示できる。筒状白血球除去フィルター材の中心部分の空洞の直径は２〜４０ｍｍが好ましく、より好ましくは３〜３０ｍｍ、最も好ましくは５〜２５ｍｍである。空洞の直径が２ｍｍ未満になると目詰まりを起こし易くなり好ましくなく、４０ｍｍより大きくなると白血球除去能力が少なくなるので好ましくない。
【００３６】
前記の筒状白血球除去フィルターにおいては、フィルター材の一側面側から他の側面側へ血液及び／又は生理的溶液が流れるように筒状白血球除去フィルターが充填された内部構造を有することが好ましく、より好ましくは、筒状白血球除去フィルター材の外側面から内側面へ血液及び／又は生理的溶液が流れるように筒状白血球除去フィルターが充填された白血球除去フィルターである。
以下の実施例により本発明をさらに具体的に説明するが、本発明は以下の実施例によって限定されるものではない。
【実施例】
【００３７】
[実施例１]
平均直径１．７μｍのポリエステル（ＰＥＴ：密度１．３８ｇ／ｃｍ3）繊維からなる不織布（目付６６ｇ／ｍ2、厚み０．４ｍｍ）を幅２２５ｍｍ、長さ６８ｃｍとして２枚重ね、これにポリエチレン製のメッシュ（メッシュサイズ８、厚み１．０（ｍｍ））を幅２２５ｍｍ、長さ６８ｃｍとしたものを更に重ねて、ポリエチレン製の円筒型メッシュ（メッシュサイズ８、厚み１．０ｍｍ、 外径６．８（ｍｍ））の周囲にポリエチレン製のメッシュが外側に位置するように巻いて外径３８ｍｍの中空円筒状白血球除去フィルター材とした。この白血球除去フィルター材の円筒軸方向両端をウレタンで閉塞し、天井部と底部にそれぞれ血液入口と血液出口を有する内径４１ｍｍ、長さ２２５ｍｍの円筒状のポリ カーボネート容器に、フィルター材の外周面が容器の血液入口に、内周面が容器の血液出口に、それぞれ通じるように組み立て、体外循環用白血球除去フィルターとした。プライミングボリュームは２７０ｍｌであった。
【００３８】
体外循環用白血球除去フィルターに、ＡＣＤ−Ａ（Acid Citrate Dextrose-A）（３７５ｍｌ）を抗凝固剤として添加したブタの新鮮血２リットル（赤血球濃度７,１８０,０００個／μｌ、白血球濃度１２，５００個／μｌ、血小板濃度３２０，０００個／μｌ）を温度３７℃、流速５０ｍｌ／ｍｉｎで血液ポンプを用いて白血球除去フィルターの上側から下側へ血液を流した後、白血球除去フィルターのフロー方向は変えずに白血球除去フィルターを反転させて白血球除去フィルターの天地を逆にして白血球除去フィルターの下側より生理的溶液として生理食塩液５００ｍｌを５０ｍｌ／ｍｉｎの流量で流し入れ、白血球除去フィルターの上側より血液を回収した。回収終了後、白血球除去フィルター内に残っている血液を純水にて溶血させて回収し、回収した溶液中に含有するヘモグロビン（Ｈｂ）量を定量し、下式（１）により白血球除去フィルター内に残留している血液量を算出した。結果を表１に示す。
残留した血液量（ｍｌ）＝回収液中のＨｂ量（ｇ）／処理前の血中Ｈｂ濃度（ｇ／ｄｌ）×１００      ・・・（１）
【００３９】
[実施例２]
実施例１と同様の体外循環用白血球除去フィルターを用い、ＡＣＤ−Ａ（３７５ｍｌ）を抗凝固剤として添加したブタの新鮮血２リットル（赤血球濃度７,１８０,０００個／μｌ、白血球濃度１２，５００個／μｌ、血小板濃度３２０，０００個／μｌ）を温度３７℃、流速５０ｍｌ／ｍｉｎで血液ポンプを用いて、白血球除去フィルターの下側から上側へ血液を流した後に、白血球除去フィルターのフロー方向は変えずに白血球除去フィルターの下側から生理的溶液として生理食塩液５００ｍｌを５０ｍｌ／ｍｉｎの流量で流し、白血球除去フィルターの上側から血液を回収した。回収後、実施例１と同様に白血球除去フィルター内に残留している血液量を算出した。結果を表１に示す。
【００４０】
[比較例１]
実施例１と同様の体外循環用白血球除去フィルター装置を用い、白血球除去フィルターに、ＡＣＤ−Ａ（３７５ｍｌ）を抗凝固剤として添加したブタの新鮮血２リットル（赤血球濃度７,１８０,０００個／μｌ、白血球濃度１２，５００個／μｌ、血小板濃度３２０，０００個／μｌ）を温度３７℃、流速５０ｍｌ／ｍｉｎで血液ポンプを用いて白血球除去フィルターの上側から下側へ血液を流した後、白血球除去フィルターのフロー方向、天地共に変えずに白血球除去フィルターの上側より生理的溶液として生理食塩液５００ｍｌを５０ｍｌ／ｍｉｎの流量で流し入れ、白血球除去フィルターの下側より血液を回収した。回収後、実施例１と同様に白血球除去フィルター内に残留している血液量を算出した。結果を表１に示す。
【００４１】
【表１】
2005319064.tif 000002
【産業上の利用可能性】
【００４２】
本発明の体外循環用白血球除去フィルターに残留する血液を回収する方法は、血液の体外循環による白血球除去療法に用いることができ、体外循環用白血球除去フィルターに残留する血液を効率良く、また収率良く回収できるので有用である。